【手続補正書】
【提出日】平成17年3月2日(2005.3.2)
【手続補正１】
【補正対象書類名】明細書
【補正対象項目名】全文
【補正方法】変更
【補正の内容】
【書類名】        明細書
【発明の名称】    キーボード及び情報処理装置
【特許請求の範囲】
【請求項１】  複数のキーが配列されている操作面及びこの操作面とは反対側の裏面を有する本体部と、
前記操作面及び前記裏面以外の面を底面側にして前記本体部を載置面上で立位状態に維持することのできる脚部と
を具備することを特徴とするキーボード。
【請求項２】  前記脚部が前記本体部の少なくとも一辺に揺動可能に取り付けられていることを特徴とする請求項１記載のキーボード。
【請求項３】  前記載置面と前記操作面との間の角度が鋭角である前記立位状態に前記脚部が前記本体部を維持することができることを特徴とする請求項１記載のキーボード。
【請求項４】  前記脚部内に部品が収容されていることを特徴とする請求項１記載のキーボード。
【請求項５】  少なくともディスプレイ部を、載置面に対して立位状態に支持することができる支持部と、
複数のキーが配列されているキーボードを、前記ディスプレイ部に対して揺動可能に接続する接続部とを備え、
前記接続部の回りの揺動操作によって、前記キーボードと前記ディスプレイ部とを重ね合わせて、前記載置面に対する立位状態を維持することができることを特徴とする情報処理装置。
【請求項６】
前記接続部の回りの揺動操作によって、前記キーボードと前記ディスプレイ部とを離間させたとき、前記載置面に対して前記キーボードが所定の角度をなすように前記キーボードが保持されることを特徴とする請求項５記載の情報処理装置。
【発明の詳細な説明】
【０００１】
【発明の属する技術分野】
本願の発明は、コンピュータへ文字等を入力する装置の一種であるキーボードとコンピュータ等の情報処理装置とに係るものである。
【０００２】
【従来の技術】
デスクトップ型のパーソナルコンピュータやノート型のパーソナルコンピュータで用いられているキーボードでは、操作面に複数のキー等が略平面的に配列されている。このため、これらのキーボードは一般に偏平であり、その高さが低い割に面積が広い。
【０００３】
【発明が解決しようとする課題】
しかし、デスクトップ型のパーソナルコンピュータで用いられているキーボードでは、ノート型のパーソナルコンピュータに一体に設けられているキーボードの様には不使用時にキーボードの操作面がディスプレイボードで覆われないので、操作面上に塵埃が特に堆積し易い。しかも、複数のキー等が配列されている操作面では、凹凸や隙間が多くて、清掃が困難である。このため、デスクトップ型のパーソナルコンピュータで用いられている従来のキーボードでは、清浄な状態を維持しにくかった。
【０００４】
この様な塵埃の堆積を防止するために、キーボードを覆うビニール製等のカバーも使用されている。軟質のカバーは、キーボードを覆ったままでキーを操作することができるので、塵埃の堆積を確実に防止することができるが、軟質のカバーでもキーの操作感が著しく悪化する。これに対して、硬質のカバーはキーの操作時にキーボードから取り外す必要があるので、キーボードの使用中はカバーが邪魔になり易い。
【０００５】
また、上述の様にキーボードは一般に偏平であるので、平面的な占有面積が大きく、キーボードを不使用時に机上等に放置しておくと、キーボードが邪魔になり易い。この様な事態を防止するために、ディスプレイ部の上方や下方にキーボードの収容部を具備するデスクトップ型のパーソナルコンピュータもある。
【０００６】
しかし、キーボードにはマウスが接続されておりパーソナルコンピュータに連なるコードも接続されているので、簡単な作業のみではキーボードを収容部に収容することができなくて、キーボードが邪魔になることを防止しにくかった。また、不使用時にキーボードとディスプレイボードとが重ね合わされるノート型のパーソナルコンピュータでも、不使用時に机上等に放置しておくとノート型のパーソナルコンピュータ自体が邪魔になり易いことは、デスクトップ型のパーソナルコンピュータにおけるキーボードと同様であった。
【０００７】
従って、本願の発明は、キーの操作感を悪化させることなく清浄な状態に維持することができ、不使用時に邪魔になりにくく、店頭販売時に購入者の注意を喚起することができるキーボードを提供することを目的としている。
【０００８】
【課題を解決するための手段】
請求項１に係るキーボードでは、複数のキーが配列されている操作面及びこの操作面とは反対側の裏面以外の面を底面側にして、脚部によって本体部を載置面上で立位状態に維持することができる。このため、キーボードをカバーで覆わなくても、キーボードの不使用時に本体部を立位状態にするという簡単な作業のみで、清掃の困難な操作面上に塵埃を堆積させにくくすることができ、キーボードの平面的な占有面積を非常に小さくすることができ、操作面とは反対側の裏面を商品名の表示面にすることができる。
【０００９】
請求項２に係るキーボードでは、脚部が本体部の少なくとも一辺に揺動可能に取り付けられているので、脚部の揺動角度を調節することによって、載置面と操作面との間の角度を調節することができる。
【００１０】
請求項３に係るキーボードでは、載置面と操作面との間の角度が鋭角である立位状態に脚部が本体部を維持することができるので、本体部が立位状態の場合に操作面上に塵埃が更に堆積しにくい。
【００１１】
請求項４に係るキーボードでは、脚部内に部品が収容されているので、脚部によって本体部が立位状態に維持されている場合に、本体部と脚部との全体の重心が低い。
【００１２】
【発明の実施の形態】
以下、本願の発明の第１及び第２実施形態を、図１、２を参照しながら説明する。図１が、デスクトップ型のパーソナルコンピュータで用いられているワイヤレス型のキーボードに適用した本願の発明の第１実施形態を示している。この第１実施形態のキーボード１１は、複数のキー１２が配列されている操作面１３とこの操作面１３とは反対側の略平坦な裏面１４とを有する本体部１５を具備している。
【００１３】
このキーボード１１はワイヤレス型であるので、本体部１５のうちで数字のキー１２が配列されている側の辺の両端部に一対の筒状の送信部１６が取り付けられている。また、一対の送信部１６同士の間の第１の筒状部１７ａと一対の送信部１６及び第１の筒状部１７ａの全体と寸法が略等しい第２の筒状部１７ｂとから成る電池収容部１７が送信部１６に取り付けられている。
【００１４】
一対の送信部１６は、本体部１５に対して電気的に導通可能であるが固定的に取り付けられている。しかし、図１（ｄ）に示す様に、電池収容部１７は、ヒンジ部１８によって、一対の送信部１６に対して電気的に導通可能で且つ揺動可能に取り付けられている。従って、電池収容部１７は本体部１５に対しても揺動可能である。
【００１５】
以上の様な第１実施形態のキーボード１１を使用する際は、図１（ｂ）の状態から図１（ａ）の状態へ、電池収容部１７を裏面１４側へ揺動させて、本体部１５のうちで数字のキー１２が配列されている側の辺をスペースのキー１２が配列されている側の辺よりも高くすることによって、操作面１３上に指を置き易い角度に操作面１３を保持することができる。つまり、この場合は、送信部１６及び電池収容部１７がチルト操作部になっている。
【００１６】
また、電池（図示せず）が電池収容部１７に収容されているので、電池が本体部に収容されているキーボードに比べて本体部１５が小型である。そして、図１（ａ）と図１（ｂ）との比較からも明らかな様に、図１（ａ）のキーボード１１の使用状態では電池収容部１７の少なくとも第２の筒状部１７ｂがキーボード１１の平面的な占有面積に含まれていないので、使用時のキーボード１１の平面的な占有面積が小さい。
【００１７】
一方、キーボード１１を使用しない場合は、図１（ａ）の状態から図１（ｂ）の状態を経て図１（ｃ）の状態へ電池収容部１７を操作面１３側へ揺動させて、図１（ｃ）に示す様に、送信部１６及び電池収容部１７を脚部にして、つまり、数字のキー１２が配列されている側の側面を底面側にして、本体部１５を載置面上で立位状態に維持する。
【００１８】
このため、キーボード１１をカバーで覆わなくても、清掃の困難な操作面１３上に塵埃が堆積しにくくて、キー１２の操作感を悪化させることなくキーボード１１が清浄な状態に維持される。また、立位状態ではキーボード１１の平面的な占有面積が非常に小さいので、不使用時にキーボード１１が邪魔になりにくい。更に、裏面１４を商品名の表示面にすることができて、立位状態のために高さの高い本体部１５を店頭販売時の広告塔にして、購入者の注意を喚起することができる。
【００１９】
また、送信部１６には送信用の部品が収容されており、電池収容部１７には電池が収容されている。このため、図１（ｃ）に示した様に送信部１６及び電池収容部１７を脚部にして本体部１５を載置面上で立位状態にしても、本体部１５と送信部１６及び電池収容部１７との全体の重心が低くて、立位状態にある本体部１５が転倒しにくい。
【００２０】
なお、以上の第１実施形態のキーボード１１は、ワイヤレス型であるので、本体部１５を載置面上で立位状態にするための脚部として送信部１６及び電池収容部１７を用いているが、これら以外の構造部をこの脚部として用いてもよい。
【００２１】
図２は、本願の発明の第２実施形態のキーボードが一体に設けられているノート型のパーソナルコンピュータを示している。このノート型のパーソナルコンピュータ２１におけるキーボード２２は、複数のキー２３が配列されておりパッド型のマウス２４も設けられている操作面２５とこの操作面２５とは反対側の略平坦な裏面２６とを有する本体部２７を具備している。
【００２２】
本体部２７のうちで数字のキー２３が配列されている側の中央部にＡＣアダプタ２８が取り付けられている。ＡＣアダプタ２８にはヒンジ部３１が設けられており、このヒンジ部３１によって、ＡＣアダプタ２８が本体部２７に対して電気的に導通可能で且つ揺動可能に取り付けられている。
【００２３】
ＡＣアダプタ２８のヒンジ部３１はディスプレイボード３２にも係合しており、ＡＣアダプタ２８はディスプレイボード３２に対しても電気的に導通可能で且つ揺動可能に取り付けられている。従って、ＡＣアダプタ２８とキーボード２２の本体部２７とディスプレイボード３２とが互いに揺動可能である。
【００２４】
以上の様な第２実施形態のキーボード２２が一体に設けられているノート型のパーソナルコンピュータ２１を使用する際は、図示されてはいないが、図２（ａ）の状態からＡＣアダプタ２８をキーボード２２の裏面２６側へ揺動させて、キーボード２２のうちで数字のキー２３が配列されている側の辺をスペースのキー２３が配列されている側の辺よりも高くする。つまり、ＡＣアダプタ２８をチルト操作部にする。
【００２５】
そして、図２（ｂ）に示す様に、ディスプレイボード３２をキーボード２２から離間させる様に揺動させる。この時、既にＡＣアダプタ２８によるチルト操作が行われているので、操作面２５上に指を置き易い角度に操作面２５が保持されていて、キー２３を容易に操作することができる。
【００２６】
一方、パーソナルコンピュータ２１を使用しない場合は、図２（ｂ）の状態からＡＣアダプタ２８を図２（ａ）の状態に戻し、更に、図２（ｃ）の状態を経て図２（ｄ）（ｅ）の状態へキーボード２２とディスプレイボード３２とを重ね合わせ、ＡＣアダプタ２８を脚部にしてキーボード２２とディスプレイボード３２とを載置面上で立位状態に維持する。なお、図２（ｄ）（ｅ）に示す様に、キーボード２２及びディスプレイボード３２を載置面に対して直立させるよりも傾斜させた方が、安定な立位状態を得ることができる。
【００２７】
なお、以上の第２実施形態では、キーボード２２及びディスプレイボード３２を載置面上で立位状態に維持するための脚部としてＡＣアダプタ２８を用いているが、ポートリプリケータやドッキングステーション等をこの脚部として用いてもよい。
【００２８】
また、既述の第１実施形態における図１（ｃ）ではキーボード１１の本体部１５が載置面に対して略直立しているが、この第１実施形態でも載置面と操作面１３との間の角度が鋭角になる様に傾斜させた方が、安定な立位状態を得ることができるのみならず、清掃の困難な操作面１３上に塵埃が更に堆積しにくい。
【００２９】
なお、以上の第１及び第２実施形態のキーボード１１、２２では、送信部１６及び電池収容部１７とＡＣアダプタ２８とをチルト操作部にしているので、本体部１５、２７のうちで数字のキー１２、２３が配列されている側の辺にこれらの送信部１６及び電池収容部１７とＡＣアダプタ２８とが取り付けられているが、これらをチルト操作部にしなければ、本体部１５、２７の他の辺にこれらを取り付けてもよい。
【００３０】
【発明の効果】
請求項１に係るキーボードでは、キーボードをカバーで覆わなくても、キーボードの不使用時に本体部を立位状態にするという簡単な作業のみで、清掃の困難な操作面上に塵埃を堆積させにくくすることができるので、キーの操作感を悪化させることなくキーボードを清浄な状態に維持することができる。
【００３１】
また、キーボードの不使用時にキーボードの平面的な占有面積を非常に小さくすることができるので、不使用時にキーボードが邪魔になりにくい。更に、キーボードの不使用時に操作面とは反対側の裏面を商品名の表示面にすることができるので、立位状態のために高さの高い本体部を店頭販売時の広告塔にして、購入者の注意を喚起することができる。
【００３２】
請求項２に係るキーボードでは、脚部の揺動角度を調節することによって、載置面と操作面との間の角度を調節することができるので、操作面上に指を置き易い角度に操作面を保持するためのチルト操作部として脚部を用いることができて、キーを容易に操作することができる。
【００３３】
請求項３に係るキーボードでは、本体部が立位状態の場合に操作面上に塵埃が更に堆積しにくいので、キーボードを更に清浄な状態に維持し易い。
【００３４】
請求項４に係るキーボードでは、脚部によって本体部が立位状態に維持されている場合に、本体部と脚部との全体の重心が低いので、立位状態にある本体部が転倒しにくい。
【図面の簡単な説明】
【図１】
本願の発明の第１実施形態を示しており、（ａ）は使用時の斜視図、（ｂ）は未使用時で伏位状態の斜視図、（ｃ）は未使用時で立位状態の斜視図、（ｄ）は要部の拡大断面図である。
【図２】
本願の発明の第２実施形態を示しており、（ａ）は未使用時で伏位状態の斜視図、（ｂ）は使用時の斜視図、（ｃ）は使用時から未使用時に至る状態の斜視図、（ｃ）は未使用時で立位状態の斜視図、（ｄ）は（ｃ）とは反対側から見た斜視図、（ｆ）は要部の拡大断面図である。
【符号の説明】
１１…キーボード、１２…キー、１３…操作面、１４…裏面、１５…本体部、１６…送信部（脚部）、１７…電池収容部（脚部）、２２…キーボード、２３…キー、２５…操作面、２６…裏面、２７…本体部、２８…ＡＣアダプタ（脚部）